(57)【要約】【課題】  ネジを取り外したり取り付けたりすることなく、パネル型ディスプレイの設置場所を変更することができる支持装置及びこの支持装置とパネル型ディスプレイを備えた表示装置を提供することを目的とする。【解決手段】  映像信号を再生出力するパネル型の表示部と表示部を支持する支持部を備え、支持部は、表示部を支持する角度を調整するヒンジを有する支柱部と、支柱部を固定する台座部を備え、台座部は、上方水平部と、クランプ部を備え上方水平部の下方に平行に位置する下方水平部と、上方水平部に設けられ上方水平部から下方水平部の下方に位置する脚部とを備える。【選択図】  図１
2005031520.tif 000002
【特許請求の範囲】
【請求項１】
電子機器を支持する支持装置において、
電子機器を支持する角度を調整するヒンジを有する支柱部と、前記支柱部を固定する台座部を備え、前記台座部は、上方水平部と、クランプ部を備え前記上方水平部の下方に平行に位置する下方水平部と、前記上方水平部に設けられ前記上方水平部から前記下方水平部の下方に位置する脚部とを備えることを特徴とする支持装置。
【請求項２】
映像信号を再生出力するパネル型の表示部と前記表示部を支持する支持部を備えた表示装置において、
前記支持部は、前記表示部を支持する角度を調整するヒンジを有する支柱部と、前記支柱部を固定する台座部を備え、前記台座部は、上方水平部と、クランプ部を備え前記上方水平部の下方に平行に位置する下方水平部と、前記上方水平部に設けられ前記上方水平部から前記下方水平部の下方に位置する脚部とを備えることを特徴とする支持部を備えた表示装置。
【発明の詳細な説明】
【技術分野】
【０００１】
本発明は、電子機器を支持する支持装置及び支持部とパネル型の表示部を備えた表示装置に関する。
【背景技術】
【０００２】
映像信号を再生出力するパネル型の表示画面を備えた装置として、例えば、液晶ディスプレイがある。液晶ディスプレイは、背面に取り付けられた支持装置（以下、スタンドという。）により支持され机上等に設置することができる。図５は、第１の従来例のパネル型ディスプレイのスタンドを示す図である。図５に示すように、第１の従来例のスタンドは、支柱部２１、ディスプレイ取付部２２、ヒンジ部２３、台座部２４を備えており、パネル型ディスプレイ１０の背面に取付ネジ８により取り付けられている。パネル型ディスプレイ１０は、図５に示すスタンドを取り付けることにより、机上の任意の位置に配置することができる。
【０００３】
図６は、第２の従来例のパネル型ディスプレイのスタンドを示す図である。図７は、第２の従来例のスタンドを備えたパネル型ディスプレイの設置を説明する図である。
図６に示すように、第２の従来例のスタンドは、支柱部２１、ディスプレイ取付部２２、ヒンジ部２３、コ字型台座部２５、クランプ部２６を備えており、パネル型ディスプレイ１０の背面に取付ネジ８により取り付けられている。図７に示すように、コ字型台座部２５とクランプ部２６により机などの天板１２の端部を挟持することにより、パネル型ディスプレイ１０を天板１２に設置することができる（例えば、特許文献１参照。）。
【０００４】
【特許文献１】実用新案登録第３０８３５２８号公報  （第１図、第８図）
【発明の開示】
【発明が解決しようとする課題】
【０００５】
上述した第１及び第２の従来例のスタンドは、パネル型ディスプレイを設置する場所に応じて使い分けられていた。第１の従来例のスタンドは、パネル型ディスプレイを机上の任意の場所に移動可能に設置する場合に使用されていた。また、第２の従来例のスタンドは、パネル型ディスプレイを机などの天板の端部に固定する場合に使用されていた。しかしながら、パネル型ディスプレイの設置場所を変更する場合、例えば、パネル型ディスプレイを支持するスタンドを第１の従来例のスタンドから第２の従来例のスタンドに変更する場合、使用者は、第１の従来例のスタンドを取り外し、第２の従来例のスタンドに交換する必要があった。また、スタンドを交換するために、使用者は、複数のネジを取り外し、再度、取り付ける作業を行う必要があった。
【０００６】
また、第１の従来例のスタンドの台座部２４に、第２の従来例のスタンドのクランプ部２６を備えたコ字型台座部２５を取り付けることができる構造をしたスタンドが考えられる。しかし、このような構造をしたスタンドでも、使用者は、例えば、第１の従来例のスタンドを使用しパネル型ディスプレイを机上に移動可能に設置する場合、第２の従来例のコ字型台座部２５を取り外すために、複数のネジを取り外す作業を行う必要があった。
【０００７】
本発明は、上記課題を解決するためになされたものであり、ネジを取り外したり取り付けたりすることなく、パネル型ディスプレイの設置場所を変更することができる支持装置及びこの支持装置とパネル型ディスプレイを備えた表示装置を提供することを目的とする。
【課題を解決するための手段】
【０００８】
上記の課題を解決するために、本願の請求項１記載の発明は、電子機器を支持する支持装置において、電子機器を支持する角度を調整するヒンジを有する支柱部と、前記支柱部を固定する台座部を備え、前記台座部は、上方水平部と、クランプ部を備え前記上方水平部の下方に平行に位置する下方水平部と、前記上方水平部に設けられ前記上方水平部から前記下方水平部の下方に位置する脚部とを備えることを特徴とする。
【０００９】
また、本願の請求項２記載の発明は、映像信号を再生出力するパネル型の表示部と前記表示部を支持する支持部を備えた表示装置において、前記支持部は、前記表示部を支持する角度を調整するヒンジを有する支柱部と、前記支柱部を固定する台座部を備え、前記台座部は、上方水平部と、クランプ部を備え前記上方水平部の下方に平行に位置する下方水平部と、前記上方水平部に設けられ前記上方水平部から前記下方水平部の下方に位置する脚部とを備えることを特徴とする。
【発明の効果】
【００１０】
本発明によれば、ネジを取り外したり取り付けたりすることなく、パネル型ディスプレイの設置場所を変更することができる支持装置及びこの支持装置とパネル型ディスプレイを備えた表示装置を提供することができる。
【発明を実施するための最良の形態】
【００１１】
以下、本発明の実施の形態を図面に基づいて説明する。
図１は、本発明の一実施例である表示装置の構成を示す図である。本実施例において、表示装置は、支持装置とパネル型ディスプレイから成っている。
【００１２】
図１において、１は支柱部、２は取付部、２aは開口部、３はヒンジ部、４は台座部、４aは上方水平部、４bは下方水平部、４cは側面部、４dは脚部、５はネジ孔、６はネジ、７は締め付け部、８は取付ネジ、１０はパネル型ディスプレイ、１１は取付ネジ孔を示す。図１では、パネル型ディスプレイ１０の前面方向を前方向とし、パネル型ディスプレイ１０の背面方向を後方向とする。なお、本実施例では、パネル型ディスプレイ１０を１５インチの表示画面を備えたものとして説明する。
【００１３】
パネル型ディスプレイ１０を支持する支持装置の構造について説明する。
支柱部１の一端は、ヒンジ部３を介して取付部２と連結されている。また、図１に示すように、支柱部１の他端は、後述する上方水平部４aの後方向に固定されている。取付部２は、後述するパネル型ディスプレイ１０の背面に設けられた取付ネジ孔１１と一致する位置に開口部２aが設けられている。ヒンジ部３は、図示しない回転軸が回転することにより、支柱部１に対して取付部２を所定方向に角度を調整することができるフリーストップ構造のヒンジである。
【００１４】
台座部４は、四角形の上方水平部４a、上方水平部４aと対向する下方水平部４b、側面部４c及び脚部４dを備えた断面コ字型の部材である。下方水平部４bは、中心部にネジ孔５が設けられている。脚部４dは、上方水平部４aの後方向の２つの頂点部から下方水平部４bの方向に突出している。図１に示すように、本実施例の上方水平部４aは、横幅（A）２１０mm、縦幅（B）１６０mm、厚さ（C）１０mmの大きさのものとする。同様に、下方水平部４bは、横幅（D）３８mm、縦幅（E）５０mm、厚さ１０mmの大きさのものとする。側面部４cは、横幅（D）３８mm、縦幅（F）５０mm、厚さ１０mmの大きさのものとする。脚部４dは、横幅（G）３２mm、縦幅（H）８０mm、厚さ１０mmの大きさのものとする。なお、図１において、上方水平部４aと側面部４cが分離して示しているが、側面部４cは、上方水平部４aの下面端部に固定されている。
【００１５】
ネジ６は、先端に締め付け部７が設けられたクランプ部であり、ネジ孔５と螺合する。ネジ６は、例えば、時計方向に回すことにより、上方水平部４aの方向に移動する。図１に示すように、本実施例のネジ６は、長さ５５mmの大きさのものとする。
【００１６】
パネル型ディスプレイ１０は、コンピュータ等から入力される映像信号又はアンテナから受信した受信信号から得られる映像信号を再生出力する液晶ディスプレイ、プラズマディスプレイ等である。パネル型ディスプレイ１０の背面には、取付ネジ孔１１が設けられている。本実施例の表示装置は、パネル型ディスプレイ１０の背面に上述した支持装置が取付ネジ９により取り付けられている。
【００１７】
図２は、本発明の一実施例である表示装置の第１の設置態様について説明する図である。第１の設置態様は、表示装置を机などの天板の端部に設置する場合である。
【００１８】
先ず、締め付け部７と上方水平部４aの間に天板１２の端部が入るようにネジ６を反時計方向に回す。そして、締め付け部７と上方水平部４aの間に天板１２の端部を入れ、ネジ６を時計方向に回すことにより、本実施例の表示装置は、締め付け部７と上方水平部４aが天板１２の端部を挟持することができる。このため、本実施例の表示装置は、天板１２の端部に設置することができる。この表示装置を天板１２に設置した後、パネル型ディスプレイ１０は、ヒンジ部３により仰角を調整することができる。
【００１９】
図３は、本発明の一実施例である表示装置の第２の設置態様について説明する図である。第２の設置態様は、表示装置を机など天板上に配置する場合である。
【００２０】
図３に示すように、本実施例の表示装置を天板１２に配置する場合、上方水平部４aと２つの脚部４dでパネル型ディスプレイ１０を支持する。このとき、ネジ６が天板１２と接触しないようにネジ６を時計方向に回し、ネジ５及び締め付け部７を上方水平部４aの方向に移動させておく。このため、上方水平部４aと２つの脚部４dでパネル型ディスプレイ１０を支持することができる。表示装置を天板１２に設置した後、パネル型ディスプレイ１０は、ヒンジ部３により仰角を調整することができる。
【００２１】
上述の実施例において、支持装置は、パネル型ディスプレイを支持するスタンドとして説明をしたが、スピーカ等の電子機器を支持するスタンドであってもよい。図４は、スピーカボックスに取り付けられた支持装置を示す図である。図４aは、スピーカボックス１３を机などの天板１２の端部に設置した場合を示す図であり、図４bは、スピーカボックス１３を机など天板１２上に配置する場合を示した図である。図４に示すように、スピーカユニット１４を内部に備えたスピーカボックス１３の底面に上述した支持装置がネジにより取り付けられている。
【図面の簡単な説明】
【００２２】
【図１】本発明の一実施例である表示装置の構成を示す図。
【図２】本発明の一実施例である表示装置の第１の設置態様について説明する図。
【図３】本発明の一実施例である表示装置の第２の設置態様について説明する図。
【図４】スピーカボックスに取り付けられた支持装置を示す図。
【図５】第１の従来例のパネル型ディスプレイのスタンドを示す図。
【図６】第２の従来例のパネル型ディスプレイのスタンドを示す図。
【図７】第２の従来例のスタンドを備えたパネル型ディスプレイの設置を説明する図。
【符号の説明】
【００２３】
１…支柱部、２…取付部、２a…開口部、３…ヒンジ部、４…台座部、４a…上方水平部、４b…下方水平部、４c…側面部、４d…脚部、５…ネジ孔、６…ネジ、７…締め付け部、８…取付ネジ、１０…パネル型ディスプレイ、１１…取付ネジ孔、１２…天板、１３…スピーカボックス、１４…スピーカユニット、２１…支柱部、２２…ディスプレイ取付部、２３…ヒンジ部、２４…台座部、２５…コ字型台座部、２６…クランプ部
【図１】
2005031520.tif 000003
【図２】
2005031520.tif 000004
【図３】
2005031520.tif 000005
【図４】
2005031520.tif 000006
【図５】
2005031520.tif 000007
【図６】
2005031520.tif 000008
【図７】
2005031520.tif 000009